(57)【特許請求の範囲】
【請求項１】
遊技機枠と、
前記遊技機枠に収容される遊技盤と、
前記遊技盤を前記遊技機枠に着脱可能に固定する固定装置と、
を備えた遊技機であって、
前記固定装置は、前記遊技機枠に固定されるベース部と、前記ベース部に揺動可能に支持され前記遊技盤を挟持するクランプ部と、前記クランプ部に揺動可能に支持されるレバー部と、前記レバー部と前記ベース部とに揺動可能に連結されるリンク部と、を備え、
前記クランプ部は、前記クランプ部の開口方向が斜め前方を向く第１の状態と、前記クランプ部の開口方向が前記ベース部の取付面に対し平行な方向を向く第２の状態とに選択配置され、
前記レバー部の側面および前記クランプ部の側面が重なる位置に摩擦力によって前記クランプ部を前記第１の状態に保持する第１保持機構を有したことを特徴とする遊技機。
【発明の詳細な説明】
【技術分野】
【０００１】
本発明は、前面に遊技領域が設けられた遊技盤と、この遊技盤を着脱可能に収容する遊技機枠とを備えた遊技機に関し、特に、遊技盤を遊技機枠に対し着脱可能に固定する固定構造に関する。
【背景技術】
【０００２】
遊技盤と遊技機枠とを備える遊技機として、パチンコ機を例に挙げて説明すると、パチンコ機は、外郭矩形状の外枠に内枠が開閉可能にヒンジ結合された遊技機枠（枠体）を備え、この遊技機枠の内枠に所要のゲージ設定で遊技領域が形成された遊技盤が立設姿勢で組み付けられている。遊技盤の前方にはガラス枠が横開き開閉可能に内枠に取り付けられており、遊技盤の遊技領域を透視可能に閉鎖保持している。内枠またはガラス枠の下部には遊技球発射装置および操作ハンドルが設けられて遊技領域の所望位置に遊技球を打ち出し得るように構成されており、遊技領域に打ち出した遊技球が遊技領域を落下移動する過程で入賞口に入賞するように操作ハンドルを操作して遊技を行うようになっている。
【０００３】
遊技盤は、パチンコ機の機種変更に対応し、またいわゆる盤面替えや遊技盤の保守交換等に迅速に対応できるように、遊技盤の主要な形状寸法が共通化されており、一般的に、内枠に遊技盤の外形よりも幾分大きめな枠形状に形成された収容部に着脱可能に収容され、内枠に設けられた係止機構によって内枠の所定位置に固定保持されるように構成されている。
【０００４】
ところで、遊技盤には液晶表示装置や各種電気基板などの電子部品が多数搭載されており、重量が重くなっている。そのため、工場での遊技盤の組み付け作業時や、パチンコホールでの遊技盤の交換作業時における作業者の負担も多大なものとなる。
【０００５】
そこで、枠体に遊技盤を取り付ける際に、着脱作業を容易化した遊技機の開閉着脱機構が知られている。例えば、特許文献１には、遊技盤を収容する収容枠に配設された固定ヒンジ部材と、遊技盤に配設され、固定ヒンジ部材のヒンジピンと係脱および係合状態で相対揺動が可能な揺動ヒンジ部材と、収容枠に枠体内方に突出して配設され前後方向に弾性変形可能な押圧辺部を有する押さえ部材とを備えた開閉着脱機構が記載されている。
【０００６】
また、特許文献２には、遊技盤を枠体に固定する遊技盤固定機構において、一端側が略円錐形状であり、側面に溝部を有する鍵部材と、鍵部材の少なくとも一部を挿入可能な挿入穴を有する主部材と、主部材の側面側に配置され、鍵部材が挿入穴に挿入された場合に溝部と係合可能な係合部を有する固定部材と、固定部材の側面を移動し、溝部と前記係合部とが係合した際に係合部が固定部材から離れる方向に移動することを規制する規制部材と、を備えた遊技盤固定機構が開示されている。
【０００７】
特許文献１に記載の方法では、遊技盤と収容枠にそれぞれ固定ヒンジ部材と揺動ヒンジ部材とを固定する必要があった。また、着脱時にヒンジピンに係合させた状態で遊技盤を揺動させるという作業が必要であった。
【０００８】
また、特許文献２に記載の方法では、枠体に埋設された主軸（主部材）に、正面方向から遊技盤の角付近に取り付けられたロックピン（鍵部材）を挿入する際、主軸とロックピンとの位置合わせ作業が必要であった。
【先行技術文献】
【特許文献】
【０００９】
【特許文献１】特開２０１０−１６７３１９号公報
【特許文献２】特開２０１２−２００３５１号公報
【発明の概要】
【発明が解決しようとする課題】
【００１０】
即ち、特許文献１、２の方法では、重量の重い遊技盤を一人の作業者が持ち上げた状態で、枠体に収容して固定する作業、或いは枠体から取り外す作業が煩雑なものとなっていた。
【００１１】
本発明は、上記問題点に鑑み、遊技盤の遊技機枠への収容作業を容易に行うとともに、遊技盤を遊技機枠へ確実に固定することのできる遊技機を提供することを目的とする。
【課題を解決するための手段】
【００１２】
上記目的を達成するために本発明の第１の構成は、遊技機枠と、前記遊技機枠に収容される遊技盤と、前記遊技盤を前記遊技機枠に着脱可能に固定する固定装置と、を備えた遊技機であって、前記固定装置は、前記遊技機枠に固定されるベース部と、前記ベース部に揺動可能に支持され前記遊技盤を挟持するクランプ部と、前記クランプ部に揺動可能に支持されるレバー部と、前記レバー部と前記ベース部とに揺動可能に連結されるリンク部と、を備え、前記クランプ部は、前記クランプ部の開口方向が斜め前方を向く第１の状態と、前記クランプ部の開口方向が前記ベース部の取付面に対し平行な方向を向く第２の状態とに選択配置され、前記レバー部の側面および前記クランプ部の側面が重なる位置に摩擦力によって前記クランプ部を前記第１の状態に保持する第１保持機構を有したことを特徴としている。
【発明の効果】
【００１７】
本発明の第１の構成によれば、遊技盤の遊技機枠への収容作業を容易に行うとともに、遊技盤を遊技機枠へ確実に固定することができる。
【図面の簡単な説明】
【００１８】
【図１】本発明の一実施形態に係る遊技機１００の正面図
【図２】図１の遊技機１００の背面斜視図
【図３】本実施形態の遊技機１００が備える遊技盤１０１の斜視図
【図４】本実施形態の遊技機１００が備える遊技機枠１１３の斜視図
【図５】遊技機枠１１３を構成する内枠１２の正面図
【図６】内枠１２を背面下方から見た斜視図
【図７】内枠１２の右上方に付設される固定装置４０ａの斜視図であって、クランプ部が第１の状態にある状態を示す図
【図８】内枠１２の右上方に付設される固定装置４０ａの斜視図であって、クランプ部が第２の状態にある状態を示す図
【図９】固定装置４０ａの分解斜視図
【図１０】クランプ部が第１の状態にある固定装置４０ａの側面図
【図１１】図９の状態から、クランプ部に遊技盤１０１の延出部が挿入される状態を示す側面図
【図１２】延出部の挿入が終了し、クランプ部が第２の状態にある固定装置４０ａの側面図
【発明を実施するための形態】
【００１９】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって、該記号又は符号に対応する情報、信号、物理量、状態量又は部材等の名称を省略又は略記することがある。例えば、“第１始動口”に対して符号１０５を割り当てた場合、“第１始動口”を、“第１始動口１０５”と表記することもあるし、単に“始動口１０５”と表記することもある。
【００２０】
まず、本発明の実施形態に係る遊技機の基本構成について説明する。図１は、本実施形態に係る遊技機１００の正面図である。遊技機１００は、パチンコ遊技機であって、遊技盤１０１と、遊技盤１０１を保持する遊技機枠１１３とを含む、図１に示された各構成部材を備える。遊技盤１０１の下部位置には、遊技球を発射するための発射部が配置されている（発射部の詳細構造は図示せず）。尚、上下左右とは、特に記述無き限り、遊技盤１０１に正対する遊技者から見た上下左右を指す。
【００２１】
遊技機１００において、発射部の駆動により上方に発射された遊技球は、レール１０２ａおよび１０２ｂ間を上昇して遊技盤１０１の上部位置に達した後、遊技領域１０３内を落下するようになっている。遊技領域１０３には、複数の釘（不図示）が設けられており、この釘によって遊技球は不特定な方向に向けて落下する。遊技盤１０１の前方（遊技者側）において遊技領域１０３を視認可能に覆うガラス板（不図示）が遊技機枠１１３のガラス扉枠１３（図４参照）に固定されている。また、遊技盤１０１において、遊技領域１０３における遊技球の落下経路には、遊技球の落下方向を変化させる風車や、第１始動口１０５、第２始動口１０６、電動チューリップ１０７、ゲート１０８、大入賞口１０９および普通入賞口１１０が設置される。
【００２２】
遊技盤１０１の略中央部分には、液晶ディスプレイパネル等から成る画像表示部１０４が配置される。画像表示部１０４は各種の演出画像を表示する。例えば、画像表示部１０４は、大当たり抽選の抽選結果を表すための特別図柄に対応して設けられた装飾図柄を表示すると共に、遊技機１００が大当たり抽選の抽選結果を示すまでに行う演出に関する画像を表示する。画像表示部１０４は、普通図柄抽選の抽選結果を表すための図柄（普通装飾図柄）などをも表示して良い。
【００２３】
画像表示部１０４の下方には、第１始動口１０５および第２始動口１０６が設置される。始動口１０５および１０６は、遊技球が通過可能（入賞可能）な始動領域を形成する。遊技球が始動口１０５又は１０６を通過することによって、即ち始動口１０５又は１０６に遊技球が入賞することによって、大当たり抽選を受けるための権利が取得される。また、遊技機１００は、始動口１０５又は１０６に入賞した遊技球を検出すると、所定個数（例えば３個）の遊技球を払い出す。払い出される遊技球を賞球とも呼ぶ。
【００２４】
第２始動口１０６の近傍に、電動チューリップ１０７が設けられる。電動チューリップ１０７は、遊技球を第２始動口１０６へ入賞し難くさせる閉状態（閉口した状態）と、閉状態よりも遊技球を第２始動口１０６へ入賞しやすくさせる開状態（開放した状態）の内の、どちらかの状態をとる。これらの状態の切り替えは、電動チューリップ１０７が備えるソレノイドによって行われる。電動チューリップ１０７が開状態となることを、電動チューリップ１０７の開放とも言う。電動チューリップ１０７は、画像表示部１０４の右側に配置されたゲート１０８を遊技球が通過したことにより行われる普通図柄抽選の抽選結果に基づいて開放される。ゲート１０８も、始動口１０５および１０６と同様、遊技球が通過可能（入賞可能）な始動領域を形成する。
【００２５】
第２始動口１０６の右側には大入賞口１０９が設けられる。大入賞口１０９も、電動チューリップ１０７のように開閉動作が可能となっている。大入賞口１０９が開放されている状態においてのみ、遊技球は大入賞口１０９へ入賞することができる。大入賞口１０９は、通常、閉鎖されており、大当たり抽選にて大当たりに当選した場合に所定条件（例えば、２９．５秒経過又は遊技球９個の入賞）を満たすまで開状態となるラウンドを所定回数（例えば１６回）だけ繰り返す。遊技機１００は、大入賞口１０９に入賞した遊技球を検出すると、所定個数（例えば１０個）の賞球を払い出す。
【００２６】
画像表示部１０４の側方や下方などには、１以上の普通入賞口１１０が設置される。遊技機１００は、普通入賞口１１０への入賞を検出した場合には所定個数（例えば８個）の賞球を払い出す。尚、第１始動口１０５、第２始動口１０６、ゲート１０８、大入賞口１０９、普通入賞口１１０は、図１に示した位置に限らず遊技領域１０３内の任意の位置に配置されて良い。遊技領域１０３の最下部には、第１始動口１０５、第２始動口１０６、大入賞口１０９および普通入賞口１１０の何れにも入賞しなかった遊技球を回収する回収口１１１が設けられている。
【００２７】
遊技盤１０１の右下部分には情報表示部１１２が設けられている。情報表示部１１２は、特別図柄表示部、普通図柄表示部、保留表示部、ラウンド数表示部および右打ち表示部を備えている。各表示部はＬＥＤ（Light Emitting Diode）表示器にて形成することができる。情報表示部１１２の詳細については省略する。尚、情報表示部１１２の設置位置は任意に変更することができる。
【００２８】
遊技盤１０１の遊技領域１０３の外周部分には、遊技機枠１１３が設けられている。遊技機枠１１３は、遊技盤１０１の上下左右の４辺において遊技領域１０３の周囲を囲み、遊技盤１０１は盤面から遊技者側に突出した形状を有している。遊技機枠１１３の正面側（図４のガラス扉枠１３）には、スピーカ１１４および演出ライト部１１５などが組み込まれている。演出ライト部１１５は複数のランプおよび複数のモータを有しており、各モータの駆動により各ランプによる光の照射方向を上下又は左右方向に変更することができる。
【００２９】
遊技機枠１１３の右下位置には、操作ハンドル１１６が配置されている。操作ハンドル１１６は遊技者側に突出するような形状を有しており、その外周部には発射指示部材１１７が設けられている。発射指示部材１１７は、操作ハンドル１１６により回転可能に支持されている。遊技者は遊技球を発射させる場合、発射指示部材１１７を時計回りに回転させる。このとき、発射指示部材１１７を回転させる角度により、遊技者は遊技球の発射強度を調整できるようになっている。また、操作ハンドル１１６には、遊技者が発射指示部材１１７を直接操作していることを検出するセンサなどが設けられている。発射指示部材１１７が遊技者によって直接操作されていることを当該センサが検出した場合にのみ、遊技機１００は遊技球を発射する。
【００３０】
遊技機枠１１３において遊技領域１０３の下方には、演出ボタン１１８、十字キー１１９および打球供給皿１２０などが設けられている。演出ボタン１１８および十字キー１１９は、遊技者からの操作を受け付けるための操作受付部を構成している。打球供給皿１２０は遊技球を収容可能な形状を有しており、収容している遊技球を発射部へ送り出す。
【００３１】
また、遊技盤１０１上には、演出時に駆動される可動役物１３０が設けられている。例えば、可動役物１３０を用いた演出の実行時において、可動役物１３０は、図１に示した位置から下方へスライドして画像表示部１０４の前面へ進出し、それ以外のときは図示のように画像表示部１０４の上部に設けられた収納スペースに退避している。
【００３２】
次に、図２を参照して、遊技機１００の背面構成を説明する。図２は、遊技機１００の背面構成を示す、遊技機１００の背面斜視図である。遊技機１００の裏面には、主制御基板３０１、賞球制御基板３０２、演出制御基板３０３、遊技機１００内の各基板に電源を供給する電源基板３０４、および、出力端子基板３０５等が設けられ、演出制御基板３０３は基板ケース３０７および背面カバー３０９で保護されている。それらの基板（特に演出制御基板３０３）は複数のプリント基板から形成されていても良い。また、遊技機１００の裏面には、電源基板３０４に電力を供給するための電源プラグ３１５や、電源スイッチ（不図示）も設けられている。
【００３３】
図３は、本実施形態の遊技機１００が備える遊技盤１０１の斜視図である。図３において、遊技盤１０１は、合成樹脂製の遊技板２１の前面に、可動役物１３０等の各種役物や画像表示部１０４（図１参照）、釘等を配置した遊技領域１０３が形成されている。なお、遊技領域１０３の詳細な構成は図１に示した通りであるので、図３では記載を省略している。遊技領域１０３の上側および下側には、遊技板２１を延出させて延出部２１ａが形成されている。また、遊技板２１の背面側には、主制御基板３０１、賞球制御基板３０２、演出制御基板３０３、電源基板３０４、出力端子基板３０５（いずれも図２参照）、基板ケース３０７および背面カバー３０９が取り付けられている。
【００３４】
図４は、本実施形態のパチンコ遊技機が備える遊技機枠１１３の斜視図である。図４に示すように、遊技機枠１１３は、外枠１１と内枠１２とガラス扉枠（前枠に相当）１３とを備えている。また、遊技機枠１１３は、左右方向の一端側（例えば遊技者から見て左側）にヒンジ機構部１６を備えており、内枠１２およびガラス扉枠１３は、それぞれヒンジ機構部１６を支点として左右方向の他端側（例えば遊技者から見て右側）が外枠１１から離れる方向に回動可能に連結されている。ガラス扉枠１３がヒンジ機構部１６を支点として扉のように回動することによって、遊技盤１０１の遊技領域１０３を含む、外枠１１の内側部分を開放することができる。内枠１２およびガラス扉枠１３の他端側（例えば遊技者から見て右側）には、それらの他端側を外枠１１に固定するロック機構（不図示）が設けられている。
【００３５】
外枠１１は、金属製であり、遊技機１００の外郭部となる枠体である。内枠１２は、遊技盤１０１（図３参照）が取り付けられる合成樹脂製の枠体であり、前方から見て中央が貫通された略長方形の枠形状とされている。遊技盤１０１は、内枠１２に対して前方から取り付けられる。内枠１２に取り付けられた遊技盤１０１は、後述する固定装置４０ａ、４０ｂによって内枠１２から外れないように係止される。ガラス扉枠１３は、遊技盤面を保護するとともにスピーカ１１４、演出ライト部１１５、操作ハンドル１１６などが配設される枠体である。ガラス扉枠１３は、遊技盤１０１の前面の遊技領域１０３を視認可能な透視窓として、ガラス板（窓部に相当）１５を備えている。
【００３６】
図５は、遊技機枠１１３を構成する内枠１２の正面図であり、図６は、内枠１２を背面下方から見た斜視図である。内枠１２は、中央に遊技盤１０１（図３参照）を収容するための収容部１２ａが形成された矩形状の枠体である。内枠１２の背面側の上部には、遊技球を貯留する球タンク５が設けられており、内枠１２の左側部には、球タンク５に貯留された遊技球を、払出ユニット（図示せず）を経由して貯留皿（図示せず）の球導入口に導く球通路８、球通路８の途中部分を形成する球通路ユニット１０、球通路８の途中部に介装される払出ユニットを着脱可能に取付けるための払出ユニット取付け部２０が設けられている。また、内枠１２の右下部には、遊技盤１０１のコネクタを差し込むためのコネクタ接続部３０が形成されている。
【００３７】
また、内枠１２の左右方向の一端側（例えば遊技者から見て左側）の内壁面には、遊技盤１０１の延出部２１ａを挟み込んで支持する挟持部３１が上下２箇所に形成されている。図６に示すように、挟持部３１は、内枠１２に一体形成されたリブ３１ａと、リブ３１ａに対向配置される弾性変形可能な金属製の押圧片３１ｂとで構成されている。押圧片３１ｂは、リブ３１ａ側が凸となる断面円弧状をなしており、押圧片３１ｂの円弧面に沿って延出部２１ａをリブ３１ａと押圧片３１ｂとの間に円滑に挿入できるようになっている。
【００３８】
また、内枠１２の左右方向の一端側（例えば遊技者から見て右側）の上部および下部には、遊技盤１０１を固定する固定装置４０ａ、４０ｂが付設されている。以下、内枠１２の右上部に付設された固定装置４０ａについて説明するが、内枠１２の右下部に付設された固定装置４０ｂについても上下方向の位置関係が異なる以外は全く同様の構成である。
【００３９】
図７および図８は固定装置４０ａの斜視図であり、図７はクランプ部４３のコ字状の開口が斜め前方を向く状態（以下、第１の状態という）を示しており、図８はクランプ部４３のコ字状の開口が内枠１２の取付面と平行な方向（図８では下方向）を向く状態（以下、第２の状態という）を示している。図９は、固定装置４０ａの分解斜視図である。図７〜図９を用いて固定装置４０ａの詳細な構成について説明する。
【００４０】
固定装置４０ａは、金属板を所定の形状に折り曲げて形成されたベース部４１、クランプ部４３、レバー部４５、リンク部４７、これらの各部材を連結する４本の第１連結ピン５０ａ、第２連結ピン５０ｂ、第３連結ピン５０ｃ、第４連結ピン５０ｄ、および板バネ５１で構成される。
【００４１】
ベース部４１は、内枠１２の内壁面（取付面）にビス固定するためのビス穴が形成された底面と、底面の端縁から立設する一対の側面とで構成される断面視コ字状の部材である。ベース部４１の側面には第１連結ピン５０ａ（第１揺動軸）を支持する一対の第１軸受穴５３ａ、第２連結ピン５０ｂ（第２揺動軸）を支持する一対の第２軸受穴５３ｂが形成されている。側面の端縁中央部には三角形状の切り欠き４１ａが形成されている。
【００４２】
クランプ部４３は、第１クランプ部材４３ａと、第２クランプ部材４３ｂとで構成される側面視コ字状の部材である。第１クランプ部材４３ａは、第１連結ピン５０ａが貫通する一対の第３軸受穴５３ｃが形成された一対のＬ字状の側面と、この一対の側面を連結する連結面とを有しており、第１連結ピン５０ａによりベース部４１に揺動可能に連結されている。また、第１クランプ部材４３ａはベース部４１の側面の間に挟まれるように連結されており、第１クランプ部材４３ａの側面の外側がベース部４１の側面の内側に沿って摺動する。また、第１クランプ部材４３ａの側面には、第３連結ピン５０ｃ（第３揺動軸）を支持する一対の第４軸受穴５３ｄが形成されている。第１クランプ部材４３ａには、板バネ５１を保持する保持爪５５、板バネ５１の突出片５１ａが嵌合する係合溝５７、第２クランプ部材４３ｂの側面が係合する係合突起５９が形成されている。
【００４３】
第２クランプ部材４３ｂは、第３連結ピン５０ｃが貫通する一対の第５軸受穴５３ｅが形成された一対の側面と、この一対の側面を連結する連結面とを有しており、第３連結ピン５０ｃにより第１クランプ部材４３ａに揺動可能に連結されている。第２クランプ部材４３ｂの側面は第１クランプ部材４３ａの側面を挟むように連結されている。また、第２クランプ部材４３ｂの揺動端には連結面を延長して第２ツマミ部６１が形成されている。
【００４４】
第１クランプ部材４３ａから第２クランプ部材４３ｂに亘ってＬ字状の板バネ５１が付設されている。第２クランプ部材４３ｂは、板バネ５１の付勢力によって第３連結ピン５０ｃを中心として第１クランプ部材４３ａに近接する方向に付勢されているが、第１クランプ部材４３ａの係合突起５９に係合することで、第１クランプ部材４３ａと第２クランプ部材４３ｂとが所定の間隔に保持されている。
【００４５】
レバー部４５は、第３連結ピン５０ｃが貫通する一対の第６軸受穴５３ｆが形成された一対の側面と、この側面を連結する連結面とを有しており、第３連結ピン５０ｃによりクランプ部４３（第２クランプ部材４３ｂ）に揺動可能に連結されている。レバー部４５の揺動端には連結面を延長した第１ツマミ部６０が形成されており、一対の側面には外側に突出する半球状の第１凸部６３が形成されている。また、レバー部４５は第２クランプ部材４３ｂの側面の間に挟まれるように連結されており、レバー部４５の側面の外側が第２クランプ部材４３ｂの側面の内側に沿って摺動する。レバー部４５の側面には、第４連結ピン５０ｄ（第４揺動軸）を支持する一対の第７軸受穴５３ｇが形成されている。
【００４６】
リンク部４７は、第４連結ピン５０ｄが貫通する一対の第８軸受穴５３ｈと、第２連結ピン５０ｂが貫通する一対の第９軸受穴５３ｉとが形成された一対の側面と、側面を連結する連結面とを有している。リンク部４７は、第４連結ピン５０ｄによりレバー部４５に揺動可能に連結されるとともに、第２連結ピン５０ｂによりベース部４１に揺動可能に連結されている。リンク部４７の両側面には、レバー部４５に向かって側面間の距離が狭くなるように段差部６５が形成されている。
【００４７】
次に、内枠１２への遊技盤１０１の取り付け手順について説明する。先ず、外枠１１と内枠１２とを固定した後、内枠１２の右上方に設けられた固定装置４０ａのクランプ部４３を、第１連結ピン５０ａを中心に揺動させることにより、図７および図１０に示すように、予めクランプ部４３のコ字状の開口が斜め前方を向く第１の状態にしておく。
【００４８】
このとき、レバー部４５の第１ツマミ部６０およびクランプ部４３の第２ツマミ部６１に指を掛けて互いに接近する方向に力を加えることにより、レバー部４５の両側面外側に突出する半球状の第１凸部６３が第２クランプ部材４３ｂの側面内側と重なる位置に圧入されて摩擦力が生じ、レバー部４５から手を離してもクランプ部４３が第１の状態に保持される。また、第２クランプ部材４３ｂの角部７０がベース部４１の切り欠き４１ａに当接することで、第１ツマミ部６０および第２ツマミ部６１に必要以上の力が加えられた場合であってもレバー部４５およびクランプ部４３が図１０の状態を超えて揺動しないようになっている。
【００４９】
なお、ここでは図示しないが、内枠１２の右下方に設けられた固定装置４０ｂにおいても同様の操作を行うことにより、固定装置４０ｂのクランプ部４３も予め第１の状態に保持しておく。
【００５０】
次に、遊技盤１０１を持ち上げて、遊技盤１０１の正面左側から延出する延出部２１ａ（図３参照）を、内枠１２の左側の内壁面に形成された２箇所の挟持部３１（図５参照）に挟持する。
【００５１】
次いで、遊技盤１０１を内枠１２の正面側から収容部１２ａに嵌め込んでいくことで、遊技盤１０１の正面右側から延出する延出部２１ａを、内枠１２の前面側から固定装置４０ａ、４０ｂのクランプ部４３に接近させる。図１０に示したように、クランプ部４３は第１の状態に保持されているため、延出部２１ａのエッジはクランプ部４３の開口に誘導される。
【００５２】
遊技盤１０１をさらに収容部１２ａに嵌め込んでいくと、延出部２１ａがクランプ部４３の内側（第１クランプ部材４３ａ）に接触する。その結果、図１１に示すように、クランプ部４３が延出部２１ａによって押圧され、クランプ部４３は第１連結ピン５０ａを中心として第１の状態からコ字状の開口が下向きとなる方向（図１１の反時計回り方向）に揺動する。一方、クランプ部４３に連結されたレバー部４５も、第３連結ピン５０ｃを中心としてクランプ部から離間する方向（図１１の時計回り方向）に揺動する。さらに、第４連結ピン５０ｄでレバー部４５と連結されたリンク部４７も、第２連結ピン５０ｂを中心として下方向（図１１の反時計回り方向）に揺動する。
【００５３】
そして、図１１の状態から遊技盤１０１が内枠１２の収容部１２ａに完全に嵌め込まれると、図８および図１２に示すように、クランプ部４３は内枠１２の取付面と平行な方向（図１２では下方向）を向く第２の状態となる。
【００５４】
このとき、レバー部４５の第１ツマミ部６０をベース部４１側に押圧することにより、リンク部４７の両側面がベース部４１の両側面間に挿入されていく。そして、リンク部４７の両側面が、ベース部４１の両側面内側に突出する半球状の第２凸部６７と重なる位置まで圧入されたとき摩擦力が生じ、クランプ部４３が第２の状態に保持される。また、リンク部４７の段差部６５がレバー部４５の側端縁に当接することで、第１ツマミ部６０に必要以上の力が加えられた場合であってもレバー部４５およびクランプ部４３が図１２の状態を超えて揺動しないようになっている。
【００５５】
同様に、内枠１２の右下方に設けられた固定装置４０ｂにおいても同様の操作を行うことにより、固定装置４０ｂのクランプ部４３も第２の状態に保持しておく。最後に、ガラス扉枠１３を内枠１２に重ね合わせて固定することにより、遊技機枠１１３への遊技盤１０１の取り付け作業が終了する。
【００５６】
本実施形態の構成によれば、遊技機枠１１３への遊技盤１０１の取り付け作業時にレバー部４５を操作するだけで、予め固定装置４０ａ、４０ｂのクランプ部４３を延出部２１ａの導入が容易な第１の状態に保持しておくことができる。例えば、工場における遊技機枠１１３への遊技盤１０１の組み付け作業では、生産ライン上を一定の速度で移動する遊技機枠１１３に遊技盤１０１を順次組み付けていく。このとき、遊技機枠１１３に付設された固定装置４０ａ、４０ｂのクランプ部４３を第１の状態としておく。これにより、一人の作業者が重量の重い遊技盤１０１を両手で抱えた状態で、簡単に遊技盤１０１の延出部２１ａをクランプ部４３に挟み込むことができる。さらに、クランプ部４３を第１の状態に保持する機構を設けたので、遊技機枠１１３が生産ライン上を移動する際の振動によって、上方に位置する固定装置４０ａのクランプ部４３が第１の状態から下向きに回動するおそれもない。なお、上述した工場での組み付け作業時と同様に、パチンコホールでの遊技盤１０１の交換作業時における作業者の負担も軽減することができる。
【００５７】
また、クランプ部４３を第１の状態に保持する機構（第１保持機構）として、レバー部４５の両側面外側に突出する半球状の第１凸部６３を形成し、第１凸部６３がクランプ部４３の側面内側と重なる位置に圧入される際の摩擦力によってクランプ部４３が第１の状態に保持されるようにしたので、第１保持機構を簡単な構成とすることができる。
【００５８】
なお、ここではレバー部４５の両側面外側に第１凸部６３を形成したが、片方の側面にのみ第１凸部６３を形成しても良い。また、第１凸部６３を、レバー部４５に代えてクランプ部４３（第２クランプ部材４３ｂ）に形成することもできる。この場合、第１凸部６３を第２クランプ部材４３ｂの側面内側に突出するように形成し、レバー部４５の側面外側との間で摩擦力が発生するようにすれば良い。
【００５９】
一方、遊技盤１０１の取り付け作業が終了した後にレバー部４５を操作するだけで、クランプ部４３を第２の状態に保持しておくことができる。これにより、輸送時における振動や衝撃、或いはパチンコホールへの設置後の役物の作動による遊技盤１０１のガタつきを抑制して遊技盤１０１の破損を防止することができる。
【００６０】
また、クランプ部４３を第２の状態に保持する機構（第２保持機構）として、ベース部４１の両側面内側に突出する半球状の第２凸部６７を形成し、第２凸部６７がリンク部４７の側面外側と重なる位置に圧入される際の摩擦力によってクランプ部４３が第２の状態に保持されるようにしたので、第２保持機構を簡単な構成とすることができる。
【００６１】
なお、ここではベース部４１の両側面内側に第２凸部６７を形成したが、片方の側面にのみ第２凸部６７を形成しても良い。また、第２凸部６７を、ベース部４１に代えてリンク部４７に形成することもできる。この場合、第２凸部６７をリンク部４７の側面外側に突出するように形成し、ベース部４１の側面内側との間で摩擦力が発生するようにすれば良い。
【００６２】
また、遊技機枠１１３の一端側に設けられる固定部材４０ａ、４０ｂは、クランプ部４３が第１クランプ部材４３ａと第２クランプ部材４３ｂで構成されており、板バネ５１によって第１クランプ部材４３ａと第２クランプ部材４３ｂが互いに接近する方向に付勢されている。一方、遊技機枠１１３の他端側に設けられる挟持部３１は、リブ３１ａと押圧片３１ｂとで構成される。従って、延出部２１ａの厚みが異なる遊技盤１０１を遊技機枠１１３に嵌めこむ際も、固定部材４０ａ、４０ｂと挟持部３１とを用いて延出部２１ａを確実に挟持することができる。
【００６３】
また、クランプ部４３を第１の状態（図７の状態）に保持する際に、クランプ部４３に設けられた第２ツマミ部６１を、レバー部４５の第１ツマミ部６０と併せて操作することで、レバー部４５の第１凸部６３をクランプ部４３の側面内側と重なる位置に容易に圧入することができる。即ち、レバー部４５による第１の状態に保持する操作をより円滑に行うことができる。
【００６４】
また、固定装置４０ａ、４０ｂは内枠１２の上下２箇所に設けられているため、遊技盤１０１の上端および下端を強固に保持することができ、輸送時、或いはパチンコホールへの設置後の役物の作動による遊技盤１０１のガタつきをより効果的に抑制することができる。さらに、内枠１２の下方に設けられる固定装置４０ｂは、コネクタ接続部３０の近傍に配置されているため、コネクタ接続部３０の周辺における遊技盤１０１のガタつきが抑制され、コネクタとコネクタ接続部３０との接続不良を防止することができる。
【００６５】
その他、本発明は上記実施形態に限定されず、本発明の趣旨を逸脱しない範囲で種々の変更が可能である。例えば上記実施形態においては、外枠１１、内枠１２、ガラス扉枠１３から成る遊技機枠１１３を例に挙げて説明したが、例えば外枠１１と内枠１２とが一体となったような遊技機枠を用いることも可能である。また、上記実施形態では、内枠１２の右上方および右下方に固定装置４０ａ、４０ｂを配置したが、遊技盤１０１の組み付け作業性、および組み付け後の遊技盤１０１の安定性に支障のない他の場所に配置しても良い。固定装置４０ａ、４０ｂの個数も２個に限らず３個以上であっても良い。
【００６６】
また、上記実施形態では、クランプ部４３を第１の状態および第２の状態に保持する第１保持機構、第２保持機構として第１凸部６３、第２凸部６７を形成したが、レバー部４５とクランプ部４３、ベース部４１とリンク部４７との間に摩擦力を発生させる機構であれば、第１凸部６３、第２凸部６７に限られるものではない。例えば、第２クランプ部材４３ｂの両側面間に挿入されるレバー部４５の幅方向寸法を、挿入が進むにつれて徐々に広くなるテーパー形状としておくことで、第１凸部６３を形成せずにレバー部４５とクランプ部４３との間に摩擦力を発生させることができる。
【００６７】
また、上記実施形態では、クランプ部４３を第１クランプ部材４３ａと第２クランプ部材４３ｂで構成し、板バネ５１によって第１クランプ部材４３ａと第２クランプ部材４３ｂが互いに接近する方向に付勢される構成としたが、例えばバネ性（復元性）を有する金属でクランプ部４３を一体形成し、延出部２１ａの厚みが異なる遊技盤１０１を遊技機枠１１３に嵌めこむ際にクランプ部４３が弾性変形するような構成としても良い。また、クランプ部４３の形状も上記実施形態のような側面視コ字状に限定されず、例えば側面視Ｃ字状や側面視Ｕ字状のように、遊技盤１０１の延出部２１ａを挟持可能な形状であれば良い。
【００６８】
また、上記実施形態では、クランプ部４３に第２ツマミ部６１を設け、レバー部４５の第１ツマミ部６０と共に第２ツマミ部６１を操作することで第１の状態と第２の状態との切り替えを行うようにしたが、第２ツマミ部６１は必須の構成要素ではなく、レバー部４５の第１ツマミ部６０のみを設けた構成も可能である。
【符号の説明】
【００６９】
１１            外枠
１２            内枠
１３            ガラス扉枠
３１            挟持部
３１ａ          リブ
３１ｂ          押圧片
４０ａ、４０ｂ  固定装置
４１            ベース部
４３            クランプ部
４３ａ          第１クランプ部材
４３ｂ          第２クランプ部材
４５            レバー部
４７            リンク部
５１            板バネ（付勢部材）
６０            第１ツマミ部
６１            第２ツマミ部
６３            第１凸部（第１保持機構）
６７            第２凸部（第２保持機構）
１００            遊技機
１０１            遊技盤
１１３            遊技機枠
【図１】
0005871993.tif 000002
【図２】
0005871993.tif 000003
【図３】
0005871993.tif 000004
【図４】
0005871993.tif 000005
【図５】
0005871993.tif 000006
【図６】
0005871993.tif 000007
【図７】
0005871993.tif 000008
【図８】
0005871993.tif 000009
【図９】
0005871993.tif 000010
【図１０】
0005871993.tif 000011
【図１１】
0005871993.tif 000012
【図１２】
0005871993.tif 000013